(57)【要約】【課題】便座が回動したときに、便座後部とタンクなどとの干渉を回避できる、もしくは使用者が手すりなどをより近い位置で使用することができる便座装置及びこれを備えたトイレ装置を提供する。【解決手段】便器の上部に固定されるベース部と、前記ベース部の上部に設けられる便座と、を備え、前記便座は、前記ベース部の上面に略沿うように前後移動可能とされ、かつ前記便座の中心位置が前記便座の回動に伴って逐次移動する偏心回動可能とされたことを特徴とする便座装置が提供される。【選択図】図２
2009297458.tif 000002
【特許請求の範囲】
【請求項１】
便器の上部に固定されるベース部と、
前記ベース部の上部に設けられる便座と、
を備え、
前記便座は、前記ベース部の上面に略沿うように前後移動可能とされ、かつ前記便座の中心位置が前記便座の回動に伴って逐次移動する偏心回動可能とされたことを特徴とする便座装置。
【請求項２】
前記ベース部及び前記便座のいずれか一方はガイド部を有し、いずれか他方は前記ガイド部に係合する回動軸を有し、
前記便座は、前記ガイド部に略沿うように前後移動可能とされ、かつ前記回動軸を中心として回動可能とされたことを特徴とする請求項１記載の便座装置。
【請求項３】
前記ガイド部は、前記ベース部または前記便座の右側辺部と左側辺部との略中心部において前後方向に沿って設けられたことを特徴とする請求項２記載の便座装置。
【請求項４】
前記ガイド部は、前記ベース部または前記便座の右側辺部と左側辺部との略中心部から偏心した位置において前後方向に沿って設けられたことを特徴とする請求項２記載の便座装置。
【請求項５】
前記ガイド部は、
前記ベース部または前記便座の後方部における右側辺部と左側辺部との略中心部と、
前記ベース部または前記便座が有する開口部の後方部における右側辺部と左側辺部との略中心部から偏心した位置と、
を結ぶ直線に沿って設けられたことを特徴とする請求項２記載の便座装置。
【請求項６】
前記便座は、前記回動軸が前記ガイド部の最前方位置に到達した場合に前記回動が可能となり、前記回動軸が前記ガイド部の最前方位置に到達していない場合には、前記前後移動のみが可能であることを特徴とする請求項２〜５のいずれか１つに記載の便座装置。
【請求項７】
前記便座は、前記回動軸が前記ガイド部のいずれの位置にある場合であっても、前記前後移動および前記回動が可能であることを特徴とする請求項２〜５のいずれか１つに記載の便座装置。
【請求項８】
前記ベース部及び前記便座のいずかれ一方は、孔を有し、
前記ベース部及び前記便座のいずれか他方は、固定手段を有し、
前記固定手段が前記孔に挿入されることによって、前記便座は前記前後移動および前記回動を抑制されることを特徴とする請求項１〜７のいずれか１つに記載の便座装置。
【請求項９】
前記ベース部に臀部洗浄装置が付設されていることを特徴とする請求項１〜８のいずれか１つに記載の便座装置。
【請求項１０】
前記便座は、前端部に切り欠き部を有することを特徴とする請求項１〜９のいずれか１つに記載の便座装置。
【請求項１１】
前記ベース部は、前記便器との固定手段を有することを特徴とする請求項１〜１０のいずれか１つに記載の便座装置。
【請求項１２】
便器と、
前記便器に付設された請求項１〜１１のいずれか１つに記載の便座装置と、
を備えたことを特徴とするトイレ装置。
【発明の詳細な説明】
【技術分野】
【０００１】
本発明は、便座装置及びトイレ装置に関し、具体的には回動可能な便座を有する便座装置及びこれを備えたトイレ装置に関する。
【背景技術】
【０００２】
車いすを使用している体の不自由な障害者などは、便座から車いすに移乗するとき、または車いすから便座に移乗するとき、トイレ室に備えられた手すりを利用したり、介護者からの介護を必要とする。一方、足腰の弱った高齢者なども同様に、便座から起立するとき、または便座に着座するとき、トイレ室に備えられた手すりなどを利用する。
【０００３】
しかし、便座が略水平面内において便器などに固定されていると、使用者は車いすや手すりなどのある方向に体を向けようとしても便座が追従しないため、体の方向転換が容易ではない。すなわち、使用者が便座から車いすに移乗したり、手すりを利用することは容易ではない。一方、便座に移乗する場合であっても、便座が追従しないため、便座に着座しにくく、使用者は不安を感じるおそれがある。
【０００４】
これに対して、便座が略水平面で回動できる便座装置がある（例えば、特許文献１および２）。特許文献１および２に記載された便座装置は、便座が便座の中央開口部の略中心を回動中心として回動できる構造を有している。そのため、使用者は、車いすや手すりなどの方向に体を方向転換しやすく、便座からの移乗を比較的容易に行うことができる。しかし、便座が便座の中央開口部の略中心を回動中心として回動するため、使用者にとって車いすや手すりなどが遠い。つまり、使用者は手すりなどを利用するときには前傾姿勢を取る必要があり、転倒する危険性があったり、足腰への負担が大きくなるという問題がある。
【０００５】
一方、便座が便器に対して滑らかに回動できる便座装置がある（例えば、特許文献３）。しかし、特許文献３に記載された便座装置は、特許文献１および２に記載された便座装置と同様に、便座が便座の中央開口部の略中心を回動中心として回動する。そのため、使用者は手すりなどを利用するときには前傾姿勢を取る必要があり、転倒する危険性があったり、足腰への負担が大きくなるという問題がある。さらに、特許文献１〜３に記載された便座装置は、便座が便座の中央開口部の略中心を回動中心として回動するため、便座が回動したときに、便座後部とタンクまたは臀部洗浄装置などとが干渉するおそれがある。
【特許文献１】特開２００２−２８２１７１号公報
【特許文献２】特開平７−２０４１２５号公報
【特許文献３】特開平１１−３３２７８７号公報
【発明の開示】
【発明が解決しようとする課題】
【０００６】
本発明は、かかる課題の認識に基づいてなされたものであり、便座が回動したときに、便座後部とタンクなどとの干渉を回避できる、もしくは使用者が手すりなどをより近い位置で使用することができる便座装置及びこれを備えたトイレ装置を提供する。
【課題を解決するための手段】
【０００７】
本発明の一態様によれば、便器の上部に固定されるベース部と、前記ベース部の上部に設けられる便座と、を備え、前記便座は、前記ベース部の上面に略沿うように前後移動可能とされ、かつ前記便座の中心位置が前記便座の回動に伴って逐次移動する偏心回動可能とされたことを特徴とする便座装置が提供される。
【０００８】
また、本発明の他の一態様によれば、便器と、前記便器に付設された上記の便座装置と、を備えたことを特徴とするトイレ装置が提供される。
【発明の効果】
【０００９】
本発明によれば、便座が回動したときに、便座後部とタンクなどとの干渉を回避できる、もしくは使用者が手すりなどをより近い位置で使用することができる便座装置及びこれを備えたトイレ装置が提供される。
【発明を実施するための最良の形態】
【００１０】
以下、本発明の実施の形態について図面を参照しつつ説明する。なお、各図面中、同様の構成要素には同一の符号を付して詳細な説明は適宜省略する。  
図１は、本発明の実施の形態にかかる便座装置が設置されたトイレ室を例示する模式図である。  
図１に表したトイレ室は、便座装置１０と、便器１００と、手すり３００と、を備えている。便座装置１０は、便座１２と、ベース部１４と、固定手段１６と、を有している。ベース部１４は便器１００の上部に設置されており、便座１２はベース部１４の上部に設置されている。固定手段１６は、便座１２の後方部に付設されている。
【００１１】
手すり３００は、壁面２００に設置されている。但し、手すり３００は、壁面２００に対向する図示しない壁面に設置されていてもよいし、便座装置１０の前方にある図示しない壁面に設置されていてもよい。壁面２００には、さらにペーパーホルダ３１０が設置され、そのペーパーホルダ３１０にトイレットペーパー３１２が設置されていてもよい。
【００１２】
便座装置１０の後方には、ロータンク１０４が設置されている。但し、図１に表したトイレ室においては、洗浄機構がいわゆる「ロータンク式」の大便器を例示しているが、この洗浄機構はロータンクを用いない、いわゆる「水道直圧式」であってもよい。また、便座１２に座った使用者の「おしり」などに向けて水を噴射し、「おしり」の洗浄を可能とした温水洗浄便座装置１０２（臀部洗浄装置）が、ベース部１４に付設されていてもよい。便座１２は、後に詳述するように、ベース部１４および便器１００に対して移動することができるが、便座１２の移動時に温水洗浄便座装置１０２が誤作動を起こすと、使用者の服に吐水がかかるなどするため、好ましくない。そこで、このように温水洗浄便座装置１０２と便座１２とを分離することによって、着座センサが人体の非着座状態を検知することになり、温水洗浄便座装置１０２の誤作動防止を期待することができる。
【００１３】
車いすを使用している体の不自由な障害者などは、便座１２から車いすに移乗するとき、または車いすから便座１２に移乗するとき、例えば手すり３００などを利用する。一方、足腰の弱った高齢者なども同様に、便座１２から起立するとき、または便座１２に着座するとき、例えば手すり３００などを利用する。
【００１４】
図２は、本実施形態にかかる便座装置を斜めから眺めた模式斜視図であり、図２（ａ）は、便座が前方移動した状態を表した模式図であり、図２（ｂ）は、便座が回動した状態を表した模式図である。  
また、図３は、本実施形態にかかる便座装置を上方から眺めた模式上面図であり、図３（ａ）は、便座が用便位置にある状態を表した模式図であり、図３（ｂ）は、便座が前方移動した状態を表した模式図であり、図３（ｃ）は、便座が回動した状態を表した模式図である。
【００１５】
ベース部１４は、図示しない固定手段によって便器１００に固定されている。図示しない固定手段は、いわゆる「ボルト」などと呼ばれるものであってもよい。そのため、ベース部１４は、便器１００に対して移動することはできない。また、ベース部１４は、便座１２に対向する面にガイド部２４を有している。このガイド部２４は、ベース部１４の右側辺部と左側辺部との略中心部に前後方向に沿って設けられている。
【００１６】
便座１２は、ベース部１４に対向する面に回動軸２２を有し、この回動軸２２は、ガイド部２４に係合されている。回動軸２２は、便座１２の右側辺部と左側辺部との略中心部であり、かつ後方部に設けられている。但し、本実施形態においては、便座１２が回動軸２２を有し、ベース部１４がガイド部２４を有しているが、これだけに限られるわけではなく、例えば、便座がガイド部を有し、ベース部が回動軸を有し、この回動軸がガイド部に係合されていてもよい。
【００１７】
なお、便座１２は、前端部１２ｂに切り欠き部を有していてもよい。このようにすれば、便座１２が移動することによって生ずる便座１２とベース部１４との間の空隙において、使用者の身体が挟み込まれることを防止することができる。
【００１８】
回動軸２２は、ガイド部２４に沿って前後方向に移動することができる。すなわち、便座１２は、図２（ａ）に表した動作のように、ベース部１４および便器１００に対して、ガイド部２４に略沿うように、且つベース部１４の上面に略沿うように、前後移動４００を行うことができる。さらに、回動軸２２はガイド部２４の内部において、回動することができる。すなわち、便座１２は、図２（ｂ）に表した動作のように、ベース部１４および便器１００に対して、ベース部１４の上面に略沿うように、回動軸２２を中心とした回動４１０を行うことができる。その結果、便座１２は、便座１２の中心位置が回動４１０に伴って逐次移動する偏心回動を行うことができる。
【００１９】
ここで、便座装置１０は、後に詳述するように、最前方へ移動した後でなければ回動４１０を行うことができない構造を有していてもよいし、前後移動４００の途中であっても回動４１０を行うことができる構造を有していてもよい。このように、便座１２が前後移動４００および回動４１０を行うことによって、後に詳述するように、使用者は手すり３００または車いすなどに近づくことができる。
【００２０】
図４は、回動軸とガイド部との設置位置の変形例を例示する模式図である。  
図４に表した回動軸２２は、便座１２の右側辺部と左側辺部との略中心部ではなく、略中心部より右側方寄りに設けられている。一方、回動軸２２がベース部１４に対向する面に設けられ、ガイド部２４に係合されている点においては、図３に表した回動軸２２と同様である。
【００２１】
ガイド部２４は、ベース部１４の右側辺部と左側辺部との略中心部ではなく、略中心部より右側方寄りに前後方向に沿って設けられている。一方、ガイド部２４が便座１２に対向する面に設けられている点においては、図３に表したガイド部２４と同様である。
【００２２】
便座１２は、図４（ｂ）に表したように、ベース部１４および便器１００に対して前後移動４００を行うことができる。この動作は、図３（ｂ）に表した動作と同様であるため、その説明は省略する。一方、便座１２は、図４（ｃ）に表した動作のように、回動軸２２を中心とした回動４１０を行うことができるが、回動軸２２が便座１２の略中心部より右側方寄りに設けられているため、便座１２の前端部１２ｂは、図３（ｃ）に表した便座１２の前端部１２ｂよりも前方および右側方に位置することができる。そのため、手すり３００が便座装置１０の右側方または前方の壁面に設置されている場合には、後に詳述するように、便座１２は図３に表した便座装置１０よりもさらに近づくことができる。その他の動作は、図３に表した便座装置１０と同様である。
【００２３】
図５は、回動軸とガイド部との設置位置の他の変形例を例示する模式図である。  
図５に表した回動軸２２は、図３に表した回動軸２２と同様であるため、その説明は省略する。ガイド部２４は、ベース部１４の後方部における右側辺部と左側辺部との略中心部と、ベース部１４に設けられた開口部１４ａの後方部における右側辺部と左側辺部との略中心部より右側方寄りの部分と、を結ぶ直線に沿って設けられている。その他の構造については、図３に表した便座装置１０と同様である。
【００２４】
便座１２は、図５（ｂ）に表した動作のように、ベース部１４および便器１００に対して右斜め前後移動４０２を行うことができる。つまり、便座１２は前方移動を行いつつ、右側方移動を行うことができる。さらに、便座１２は、図５（ｃ）に表した動作のように、ベース部１４および便器１００に対して、回動軸２２を中心とした回動４１０を行うことができる。その結果、便座１２は、便座１２の中心位置が回動４１０に伴って逐次移動する偏心回動を行うことができる。これらの動作によって、便座１２の前端部１２ｂは、図３（ｃ）および図４（ｃ）に表した状態よりも右側方に位置することができる。そのため、手すり３００が便座装置１０の右側方の壁面に設置されている場合には、後に詳述するように、便座１２は図３および図４に表した便座装置１０よりもさらに近づくことができる。その他の動作は、図３に表した便座装置１０と同様である。
【００２５】
図６は、本実施形態にかかる便座装置を右側方から眺めた模式図である。  
図６に表した便座装置１０において、便座１２はベース部１４および便器１００に対して前方移動４０４を行っている。このとき、便座１２の前端部１２ｂと、便器１００の前端部１００ｂと、の間において空間１０６が生ずる。したがって、使用者は便座１２から起立するとき、または車いすに移動するとき、この空間１０６に足を引き込むことができるため、自然な前傾姿勢を取ることができる。すなわち、使用者は足を空間１０６に引き込むことで、起立動作や車いすへの移乗動作を楽に行うことができる。
【００２６】
さらに、便座１２の後端部１２ｃと、ロータンク１０４の前方面と、の間において空間１０８が生ずる。したがって、例えば、介護者が使用者の背後から介護を行う必要がある場合には、使用者とロータンク１０４との間の空間１０８に介護者が入り込むことで、介護を楽に行うことができる。これに対して、便座１２が前方へ移動しない場合には、使用者とロータンク１０４との間に空間１０８が生ずることはなく、使用者の背後から介護を行うことは容易ではない。
【００２７】
図７は、便座装置を斜め上方から眺めた模式図であり、図７（ａ）は、本実施形態にかかる便座装置を例示する模式図であり、図７（ｂ）は比較例にかかる便座装置を例示する模式図である。  
図７（ａ）および（ｂ）に表した便座装置において、温水洗浄便座装置１０２（図１参照）は設けられていない。図７（ａ）に表した便座装置における便座１２は、前方移動４０４、および回動軸２２（図３参照）を中心とした回動４１０を行っている。この場合、便座１２が前方移動４０４を行っているため、回動４１０を行ったとしても、便座１２とロータンク１０４との間に空間１１０が生ずる。すなわち、便座１２とロータンク１０４とは干渉しない。
【００２８】
これに対して、図７（ｂ）に表した比較例の便座装置における便座１２は、便座１２に設けられた開口部１２ａの略中心部を中心とした回動４１０のみを行っている。この場合、便座１２は前方移動を行っていないため、便座１２とロータンク１０４とが、干渉部１１２において干渉するおそれがある。便座１２とロータンク１０４とが干渉すると、便座１２の回動角度が小さくなるだけではなく、便座１２またはロータンク１０４が破損するおそれがあるため、好ましくない。
【００２９】
図８は、温水洗浄便座装置が設けられた便座装置を斜め上方から眺めた模式図であり、図８（ａ）は、便座が用便位置にある状態を表す模式図であり、図８（ｂ）は、本実施形態にかかる便座装置を例示する模式図であり、図８（ｃ）は比較例にかかる便座装置を例示する模式図である。  
図８に表した便座装置において、便座１２の後方に温水洗浄便座装置１０２（図１参照）が設けられている。図８（ａ）に表した状態のように、便座１２が用便位置にあるときは、便座１２と温水洗浄便座装置１０２とは干渉していない。
【００３０】
図８（ｂ）に表した便座装置における便座１２は、前方移動４０４、および回動軸２２（図３参照）を中心とした回動４１０を行っている。この場合、便座１２が前方移動４０４を行っているため、回動４１０を行ったとしても、便座１２と温水洗浄便座装置１０２との間に空間１１４が生ずる。すなわち、便座１２と温水洗浄便座装置１０２とは干渉しない。
【００３１】
これに対して、図８（ｃ）に表した比較例の便座装置における便座１２は、便座１２に設けられた開口部１２ａの略中心部を中心とした回動４１０のみを行っている。この場合、便座１２は前方移動を行っていないため、便座１２と温水洗浄便座装置１０２とが、干渉部１１６において干渉するおそれがある。便座１２と温水洗浄便座装置１０２とが干渉すると、便座１２の回動角度が小さくなるだけではなく、便座１２または温水洗浄便座装置１０２が破損するおそれがあるため、好ましくない。
【００３２】
図７および８を参照しつつ説明したように、便座１２が開口部１２ａの略中心部を中心とした回動４１０のみを行う場合、便座１２の後方部において、便座１２と、ロータンク１０４または温水洗浄便座装置１０２と、が干渉するおそれがある。これに対して、本実施形態の便座装置によれば、便座１２は前方移動４０４、および回動軸２２を中心とした回動４１０を行うため、便座１２と、ロータンク１０４または温水洗浄便座装置１０２と、の干渉を回避することができる。
【００３３】
図９は、便座と手すりとの位置関係を上方から眺めた模式上面図であり、図９（ａ）は本実施形態にかかる便座装置を例示する模式図であり、図９（ｂ）は、比較例にかかる便座装置を例示する模式図である。  
また、図１０は、便座と手すりとの位置関係を斜め上方から眺めた模式斜視図であり、図１０（ａ）は本実施形態にかかる便座装置を例示する模式図であり、図１０（ｂ）は、比較例にかかる便座装置を例示する模式図である。
【００３４】
図９（ａ）および図１０（ａ）に表した動作のように、本実施形態にかかる便座装置１０の便座１２は、前方移動４０４および回動軸２２（図３参照）を回動中心とした回動４１０を行うことができる。つまり、便座１２の前端部１２ｂは、用便位置にある場合と比較すると、壁面２００に設置された手すり３００により近づくことができる。したがって、便座１２が前方移動４０４を行うことによって、使用者は手すり３００に近づくことができる。さらに便座１２が回動４１０を行うことによって、使用者は身体を手すり３００の方向に向けることができ、手すり３００に近づくことができる。
【００３５】
このようにして、使用者は足腰への負担を軽減した状態で、手すり３００を利用して起立したり、車いすに移乗することができる。一方、便座１２に着座する場合においても、便座１２が手すり３００または車いすなどに近づくことができるため、使用者は安心して着座することができる。また、使用者が小柄で手すり３００に手が届きにくい場合であっても、便座１２を前方移動４０４および回動軸２２を回動中心として回動４１０させることで、手すり３００に近づくことができるため、使用者は体格によらず楽に手すり３００を利用することができる。
【００３６】
使用者が車いすを使用している場合、トイレ室内における車いすでの移動を少なくすることができれば、使用者および介護者にとって楽になる。これは、狭いトイレ室内において、車いすを自由に移動させることが容易ではないためである。そこで、便座１２を前方移動４０４および回動軸２２を回動中心として回動４１０させることで、便座１２を車いすに近づけることができるため、トイレ室内における車いすでの移動を少なくすることができる。したがって、使用者は便座１２または車いすからの移乗動作を楽に行うことができ、介護者にとっても楽に介護を行うことができる。
【００３７】
また、図４に表した便座装置を使用すれば、便座１２をさらに手すり３００や車いすに近づけることができる。但し、図９および１０に表したトイレ室のように、手すり３００が便座装置１０の左側方に位置する壁面２００に設置されている場合には、回動軸２２およびガイド部２４を、便座１２およびベース部１４のそれぞれの右側辺部と左側辺部との略中心部より左側方寄りに設ける必要がある。
【００３８】
なお、便座１２を座面と基台部との二層構造に分割し、基台部に回動軸２２を設けてもよい。このようにすれば、便座装置１０を設置するときに、基台部を表裏反対にして便座１２に固定し、かつベース部１４を表裏反対に便器１００に固定することによって、回動軸２２およびガイド部２４を、便座１２およびベース部１４のそれぞれの右側辺部と左側辺部との略中心部より左側方寄りに設けることができる。
【００３９】
また、図５に表した便座装置を使用すれば、図３および図４に表した便座装置よりも、便座１２をさらに手すり３００や車いすに近づけることができる。但し、図９および１０に表したトイレ室のように、手すり３００が便座装置１０の左側方に位置する壁面２００に設置されている場合には、図５に表したガイド部２４を、ベース部１４の右側辺部と左側辺部との略中心部に対して左右対称となる方向に設ける必要がある。
【００４０】
なお、便座装置１０を設置するときに、ベース部１４を表裏反対に便器１００に固定できるようにしてもよい。このようにすれば、図５に表したガイド部２４を、ベース部１４の右側辺部と左側辺部との略中心部に対して左右対称となる方向に設けることができる。
【００４１】
図５に表した便座装置１０においては、便座１２が斜め前方へ移動したとき、すでに便座１２は手すり３００に近づいている。したがって、この場合には、使用者は前方へ移動したときに、すでに手すり３００や車いすなどに近づいている。この状態から、便座１２を回動させると、使用者はさらに手すり３００や車いすなどに近づくことができる。
【００４２】
これに対して、図９（ｂ）および図１０（ｂ）に表した動作のように、比較例にかかる便座装置は、便座１２に設けられた開口部１２ａの略中心部を中心とした回動４１０のみを行う。つまり、便座１２の前端部１２ｂを、手すり３００の方向に向けることはできるが、図９（ａ）および図１０（ａ）に表した便座装置のようには、手すり３００に近づけることはできない。
【００４３】
したがって、便座１２に着座した使用者にとっては、手すり３００が遠いため、手すり３００を利用する場合は、無理に前傾姿勢を取って手すり３００を掴む必要がある。しかし、この動作は足腰への負担が大きいため、足腰の弱った高齢者などにとっては容易ではない。また、便座１２が手すり３００に近づかないため、便座１２へ移乗する場合、使用者は不安を感じるおそれがある。
【００４４】
図１１は、本実施形態にかかる便座装置の回動部機構を例示する模式図であり、図１１（ａ）は、上方から眺めた模式上面図であり、図１１（ｂ）は、斜め上方から眺めた模式斜視図である。  
図１１に表した回動軸２２は、略直方体の形状を有している。また、図１１に表したガイド部２４は、前方部に略円柱の形状をした円柱部２４ｂと、後方部に略直方体の形状をした直方体部２４ａと、を有している。回動軸２２の左右方向の幅寸法と、直方体部２４ａの左右方向の幅寸法と、は略同じである。そのため、回動軸２２が直方体部２４ａにある場合には、回動軸２２は回動することはできない。すなわち、回動軸２２が直方体部２４ａにある場合には、便座１２は前後移動４００を行うことはできるが、回動４１０を行うことはできない。
【００４５】
一方、回動軸２２の前後方向の幅寸法は、円柱部２４ｂの直径と、は略同じである。そのため、回動軸２２が前方へ移動し、円柱部２４ｂに到達した場合には、回動軸２２は円柱部２４ｂの内壁に沿って回動することができる。すなわち、便座１２は、最前方へ移動した後でなければ回動４１０を行うことはできない。
【００４６】
これによれば、便座１２は用便位置にあるときには回動４１０を行うことができないため、使用者は便座１２がより安定した状態で用便を行うことができる。すなわち、足腰の弱った高齢者などが使用する場合、より安全に用便を行うことができる。さらに、便座１２は最前方に移動した後でなければ回動４１０を行うことができないため、使用者はより安定した状態で便座１２の前後移動４００を行うことができる。また、使用者は、便座１２が回動４１０を行うことができる略位置を把握することできるため、より安全に前方移動４０４から回動４１０へ移行することができる。
【００４７】
図１２は、回動部機構の変形例を例示する模式図であり、図１２（ａ）は、上方から眺めた模式上面図であり、図１２（ｂ）は、斜め上方から眺めた模式斜視図である。  
図１２に表した回動軸２２は、略円柱の形状を有している。また、図１２に表したガイド部２４は、図１１に表したガイド部２４と同様に、前方部に略円柱の形状をした円柱部２４ｂと、後方部に略直方体の形状をした直方体部２４ａと、を有している。円柱部２４ｂには、内壁に沿ってベアリング２４ｃがさらに設けられている。ベアリング２４ｃの個数は７個の場合を例示したが、これに限られるわけではなく、適宜変更してもよい。
【００４８】
回動軸２２の直径と、直方体部２４ａの左右方向の幅寸法と、は略同じである。そのため、回動軸２２が直方体部２４ａにある場合には、回動軸２２は回動しようとしても直方体部２４ａの内壁から摩擦力を受けることになるため容易ではない。すなわち、回動軸２２が直方体部２４ａにある場合には、便座１２は前後移動４００を行うことはできるが、回動４１０を行うことは困難である。但し、便座１２が左右方向から強い力を受けた場合などは、回動軸２２は直方体部２４ａの内壁から受ける摩擦力よりも大きな力を受けて回動することができる。
【００４９】
一方、回動軸２２が円柱部２４ｂに到達した場合には、円柱部２４ｂの内壁に沿ってベアリング２４ｃが設けられているため、回動軸２２は円滑に回動４１０を行うことができる。すなわち、便座１２は、最前方へ移動した後でなければ、円滑に回動４１０を行うことはできない。
【００５０】
これによれば、便座１２が左右方向から強い力を受けない場合には、使用者は便座１２がより安定した状態で用便することができ、さらに前後移動４００を行うことができる。一方、便座１２または使用者が左右方向から強い力を受けた場合には、その力を逃げさせるように便座１２は回動４１０を行うことができる。そのため、使用者が力を受けた場合における転倒防止を期待することができる。
【００５１】
図１３は、回動部機構の他の変形例を例示する模式図であり、図１３（ａ）は、上方から眺めた模式上面図であり、図１３（ｂ）は、斜め上方から眺めた模式斜視図である。  
図１３に表した回動軸２２は略球の形状を有している。また、図１３に表したガイド部２４は、略直方体の形状をした直方体部２４ａを有している。すなわち、図１３に表したガイド部２４は、図１１および１２に表した円柱部２４ｂを有していない。
【００５２】
図１２に表した回動部機構においては、回動軸２２は略円柱の形状を有しているため、回動軸２２と直方体部２４ａとの接触面積は大きい。そのため、回動軸２２が直方体部２４ａにある場合には、直方体部２４ａの内壁から受ける摩擦力が大きいため、回動軸２２は回動４１０を行うことは容易ではない。これに対して、図１３に表した回動部機構においては、回動軸２２の直径と、直方体部２４ａの左右方向の幅寸法と、は略同じであるが、回動軸２２は略球の形状を有しているため、回動軸２２と直方体部２４ａとの接触面積は小さい。そのため、回動軸２２が直方体部２４ａにある場合であっても、直方体部２４ａの内壁から受ける摩擦力は小さいため、回動軸２２は回動４１０を行うことができる。
【００５３】
ガイド部２４は略直方体の形状を有しているため、回動軸２２がガイド部２４の最前方に到達した場合であっても、同様に回動軸２２は回動４１０を行うことができる。すなわち、便座１２は、回動軸２２の位置に関わらず、回動４１０を行うことができる。これによれば、便座１２が前後移動４００を行っている途中であっても、便座１２は回動４１０を行うことができるため、使用者は自由に手すり３００または車いすの方向に身体を向けることができる。したがって、便座１２からの起立動作や車いすへの移乗動作、または便座１２への移乗動作に自由度を持たせることができる。
【００５４】
図１４は、回動部機構のさらに他の変形例を例示する模式図であり、図１４（ａ）は、上方から眺めた模式上面図であり、図１４（ｂ）は、斜め上方から眺めた模式斜視図である。  
図１４に表した回動軸２２は略球の形状を有している。回動軸２２は、球の略中心を通る円周上にベアリング２２ｃを有している。したがって、回動軸２２の位置に関わらず、回動軸２２の略中心を通る円周上には常にベアリング２２ｃが存在することなる。なお、ベアリング２２ｃの個数は７個の場合を例示したが、これに限られるわけではなく、適宜変更してもよい。
【００５５】
また、図１４に表したガイド部２４は、図１３に表したガイド部２４と同様であるため、その説明は省略する。これによれば、便座１２は、回動軸２２の位置に関わらず、円滑に回動４１０を行うことができる。したがって、使用者は小さな力で前後移動４００および回動４１０を行うことができるため、便座１２からの起立動作や車いすへの移乗動作、または便座１２への移乗動作を楽に行うことができる。また同様に、介護者は小さな力で足腰の弱った高齢者などの介護を行うことができる。
【００５６】
図１５は、便座の固定手段を例示する模式図である。  
なお、図１５に表した便座装置において、説明の便宜上、便座１２を省略している。  
本実施形態にかかる便座装置は、前述のように便座１２が移動するため、便座１２から車いすなどに移乗するときには、または車いすから便座１２に移乗するときには、便座１２を固定することが好ましい。移乗の際に便座１２が移動すると、使用者の体勢が不安定となり、便座１２から転倒するおそれがあるためである。したがって、本実施形態にかかる便座装置は、便座１２の固定手段１６（図１参照）を備えている。
【００５７】
便座の固定手段１６は、便座１２の後方部に付設されている。固定手段１６は、ベース部の方向に向かう固定軸１６ａと、使用者が操作するための取っ手１６ｂと、を有している。固定軸１６ａと取っ手１６ｂとは締結されており、また、図示しない付勢手段によって、ベース部１４の方向へ付勢されている。付勢手段は、例えば「ばね」などが挙げられる。また、ガイド部２４は、前方部に孔２４ｄと、後方部に孔２４ｅと、を有する。ベース部１４は、ガイド部２４の左右側方に孔１４ｄを有する。
【００５８】
固定軸１６ａの直径と、孔２４ｄ、２４ｅの直径と、は略同じである。したがって、固定軸１６ａが孔２４ｄ、２４ｅに挿入された状態のときは、便座１２の前後移動４００および回動４１０を抑制することができる。一方、便座１２をベース部１４の上面に略沿うように移動させる場合には、取っ手１６ｂを上方へ持ち上げ、固定軸１６ａを孔２４ｄ、２４ｅから外すことで、便座１２を移動させることができる。なお、孔２４ｄ、２４ｅは、ガイド部２４の中間位置に設けられていてもよい。さらに、孔の個数は２個だけに限られず、適宜変更してもよい。
【００５９】
また、固定軸１６ａの直径と、孔１４ｄの直径と、は略同じである。したがって、固定軸１６ａが孔１４ｄに挿入された状態のときは、便座１２の前後移動４００および回動４１０を抑制することができる。一方、便座１２をベース部１４の上面に略沿うように移動させる場合には、前述と同様に、取っ手１６ｂを上方へ持ち上げ、固定軸１６ａを孔１４ｄから外せばよい。
【００６０】
なお、固定手段１６と孔１４ｄとを利用して便座１２の回動４１０および前後移動４００を抑制する場合には、回動軸２２（図３参照）を、便座１２の後端部ではなく、後端部から前方へ適宜移動させた位置に設ける必要がある。これは、回動軸２２を便座１２の後端部に設けると、便座１２は後端部に設けられた回動軸２２を中心とした回動４１０を行うため、固定手段１６が孔１４ｄに到達できなくなるからである。また、孔１４ｄの設置位置または個数は、適宜変更されてもよい。
【００６１】
これによれば、使用者が便座から起立する場合や車いすへ移乗する場合、または便座へ移乗する場合、便座１２の前後移動４００または回動４１０を止めることができるため、より安全に起立動作や移乗動作を行うことができる。
【００６２】
以上説明したように、本実施形態によれば、便座１２は前方移動４０４、および回動軸２２を中心とした回動４１０を行うため、便座１２と、ロータンク１０４または温水洗浄便座装置１０２と、の干渉を回避することができる。また、便座１２が手すり３００または車いすに近づくことができるため、使用者は足腰への負担を軽減した状態で、手すり３００を利用して起立したり、車いすに移乗することができる。一方、便座１２に着座する場合においても、使用者は安心して着座することができる。また、便座１２は前方移動４０４を行うため、使用者は足を空間１０６に引き込むことで、起立動作や車いすへの移乗動作を楽に行うことができる。一方、介護者は、使用者とロータンク１０４との間の空間１０８に入り込むことで、使用者の背後から介護を楽に行うことができる。さらに、便座１２が車いすに近づくことができるため、トイレ室内における車いすでの移動を少なくすることができる。
【００６３】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、回動軸２２やガイド部２４などが備える各要素の形状、寸法、材質、配置などや便座装置１０の設置形態などは、例示したものに限定されるわけではなく適宜変更することができる。  
また、ベース部１４に回動軸２２が設けられ、これに係合するガイド部２４が便座１２に設けられていてもよい。  
また、前述した各実施の形態が備える各要素は、技術的に可能な限りにおいて組み合わせることができ、これらを組み合わせたものも本発明の特徴を含む限り本発明の範囲に包含される。
【図面の簡単な説明】
【００６４】
【図１】本発明の実施の形態にかかる便座装置が設置されたトイレ室を例示する模式図である。
【図２】本実施形態にかかる便座装置を斜めから眺めた模式斜視図であり、図２（ａ）は、便座が前方移動した状態を表した模式図であり、図２（ｂ）は、便座が回動した状態を表した模式図である。
【図３】本実施形態にかかる便座装置を上方から眺めた模式上面図であり、図３（ａ）は、便座が用便位置にある状態を表した模式図であり、図３（ｂ）は、便座が前方移動した状態を表した模式図であり、図３（ｃ）は、便座が回動した状態を表した模式図である。
【図４】回動軸とガイド部との設置位置の変形例を例示する模式図である。
【図５】回動軸とガイド部との設置位置の他の変形例を例示する模式図である。
【図６】本実施形態にかかる便座装置を右側方から眺めた模式図である。
【図７】便座装置を斜め上方から眺めた模式図であり、図７（ａ）は、本実施形態にかかる便座装置を例示する模式図であり、図７（ｂ）は比較例にかかる便座装置を例示する模式図である。
【図８】温水洗浄便座装置が設けられた便座装置を斜め上方から眺めた模式図であり、図８（ａ）は、便座が用便位置にある状態を表す模式図であり、図８（ｂ）は、本実施形態にかかる便座装置を例示する模式図であり、図８（ｃ）は比較例にかかる便座装置を例示する模式図である。
【図９】便座と手すりとの位置関係を上方から眺めた模式上面図であり、図９（ａ）は本実施形態にかかる便座装置を例示する模式図であり、図９（ｂ）は、比較例にかかる便座装置を例示する模式図である。
【図１０】便座と手すりとの位置関係を斜め上方から眺めた模式斜視図であり、図１０（ａ）は本実施形態にかかる便座装置を例示する模式図であり、図１０（ｂ）は、比較例にかかる便座装置を例示する模式図である。
【図１１】本実施形態にかかる便座装置の回動部機構を例示する模式図であり、図１１（ａ）は、上方から眺めた模式上面図であり、図１１（ｂ）は、斜め上方から眺めた模式斜視図である。
【図１２】回動部機構の変形例を例示する模式図であり、図１２（ａ）は、上方から眺めた模式上面図であり、図１２（ｂ）は、斜め上方から眺めた模式斜視図である。
【図１３】回動部機構の他の変形例を例示する模式図であり、図１３（ａ）は、上方から眺めた模式上面図であり、図１３（ｂ）は、斜め上方から眺めた模式斜視図である。
【図１４】回動部機構のさらに他の変形例を例示する模式図であり、図１４（ａ）は、上方から眺めた模式上面図であり、図１４（ｂ）は、斜め上方から眺めた模式斜視図である。
【図１５】便座の固定手段を例示する模式図である。
【符号の説明】
【００６５】
１０ 便座装置、  １２ 便座、  １２ａ 開口部、  １２ｂ 前端部、  １２ｃ 後端部、  １４ ベース部、  １４ａ 開口部、１４ｄ 孔  １６ 固定手段、  １６ａ 固定軸、  １６ｂ 取っ手、  ２２ 回動軸、  ２２ｃ ベアリング、  ２４ ガイド部、  ２４ａ 直方体部、  ２４ｂ 円柱部、  ２４ｃ ベアリング、  ２４ｄ、２４ｅ 孔、  １００ 便器、  １００ｂ 前端部、  １０２ 温水洗浄便座装置（臀部洗浄装置）、  １０４ ロータンク、  １０６、１０８、１１０ 空間、  １１２ 干渉部、  １１４ 空間、  １１６ 干渉部、  ２００ 壁面、  ３００ 手すり、  ３１０ ペーパーホルダ、  ３１２ トイレットペーパー、  ４００ 前後移動、  ４０２ 右斜め前後移動、  ４０４ 前方移動、  ４１０ 回動
【図１】
2009297458.tif 000003
【図２】
2009297458.tif 000004
【図３】
2009297458.tif 000005
【図４】
2009297458.tif 000006
【図５】
2009297458.tif 000007
【図６】
2009297458.tif 000008
【図７】
2009297458.tif 000009
【図８】
2009297458.tif 000010
【図９】
2009297458.tif 000011
【図１０】
2009297458.tif 000012
【図１１】
2009297458.tif 000013
【図１２】
2009297458.tif 000014
【図１３】
2009297458.tif 000015
【図１４】
2009297458.tif 000016
【図１５】
2009297458.tif 000017